【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
複数の深度面を有する少なくとも１つのプレノプティック画像を作成することが可能なプレノプティック画像ソースと、
前記少なくとも１つのプレノプティック画像内の物体を前記複数の深度面のうちの１つに割り当てるように構成された深度マッピングモジュールと、
前記複数の深度面のうちの前記１つに割り当てられた前記物体を有する前記少なくとも１つのプレノプティック画像を表示するためのディスプレイと、
前記表示されたプレノプティック画像の前記複数の深度面のうちの１つ内の前記物体にユーザの注視位置をトラッキングし、かつ前記ユーザによって観察されている前記物体の前記深度面に前記表示されたプレノプティック画像のフォーカルプレーンを設定するように構成されるアイトラッキングシステムと、
を備える、プレノプティック画像を作成するためのシステム。
【請求項２】
前記少なくとも１つのプレノプティック画像はプレノプティック画像からなる映像である、請求項１に記載のシステム。
【請求項３】
前記少なくとも１つのプレノプティック画像は立体視画像である、請求項１に記載のシステム。
【請求項４】
前記少なくとも１つのプレノプティック画像は２次元画像である、請求項１に記載のシステム。
【請求項５】
前記アイトラッキングシステムは前記ユーザの目の前記動きおよび座標をトラッキングするために前記ユーザによって装着されるメガネを備える、請求項１に記載のシステム。
【請求項６】
前記アイトラッキングシステムは前記ユーザの目の前記動きおよび座標をトラッキングするように構成された赤外線システムを備える、請求項１に記載のシステム。
【請求項７】
前記プレノプティック画像ソースはプレノプティック画像フレームを備えた映像を表示することが可能である、請求項１に記載のシステム。
【請求項８】
複数の深度面を有する少なくとも１つのプレノプティック画像を作成することと、
前記少なくとも１つのプレノプティック画像内の物体を前記複数の深度面のうちの１つにマッピングすることと、
ディスプレイ上に前記複数の深度面のうちの１つに割り当てられた前記物体を有する前記少なくとも１つのプレノプティック画像を表示することと、
ディスプレイ上の前記複数の深度面のうちの１つ内の前記物体へのユーザの注視位置をトラッキングするためのアイトラッキングシステムを使用することと、
前記ユーザによって観察されている前記物体の前記深度面に前記表示されたプレノプティック画像のフォーカルプレーンを設定することと、
を備える、ユーザにより観察される画像の前記フォーカルプレーンを設定することを備える方法。
【請求項９】
前記少なくとも１つのプレノプティック画像はプレノプティック画像からなる映像である、請求項８に記載の方法。
【請求項１０】
前記少なくとも１つのプレノプティック画像は２次元画像である、請求項８に記載の方法。
【請求項１１】
前記ユーザの注視位置をトラッキングすることは、前記ユーザの目の前記動きおよび座標をトラッキングするために前記ユーザによって装着されるメガネを備える、請求項８に記載の方法。
【請求項１２】
前記ユーザの注視位置をトラッキングすることは前記ユーザの目の前記動きおよび座標をトラッキングするように構成された赤外線システムを備える、請求項８に記載の方法。
【請求項１３】
プロセッサによって実行されたときに前記プロセッサに請求項８から１２のいずれかに記載の方法を実行させる命令を備えた非一時的コンピュータ読み取り可能な媒体。
【手続補正２】
【補正対象書類名】明細書
【補正対象項目名】００４８
【補正方法】変更
【補正の内容】
【００４８】
[0054]本明細書に様々な態様および実施形態が開示されているが、他の態様および実施形態については当業者には明らかであろう。本明細書で開示された様々な態様および実施形態は、例示を目的としたものであり、限定とするように意図されたものではない。
以下に、本願出願の当初の特許請求の範囲に記載された発明を付記する。
［Ｃ１］
少なくとも１つのプレノプティック画像を作成することが可能なプレノプティック画像ソースと、
前記少なくとも１つのプレノプティック画像内の物体を深度面に割り当てるように構成された深度マッピングモジュールと、
前記少なくとも１つのプレノプティック画像を表示するためのディスプレイと、
前記ディスプレイ上のユーザの注視位置をトラッキングするように構成されかつ前記ユーザによって観察されている深度面に前記表示画像のフォーカルプレーンを設定しているアイトラッキングシステムと、
を備える、プレノプティック画像を作成するためのシステム。
［Ｃ２］
前記少なくとも１つのプレノプティック画像はプレノプティック画像からなる映像である、Ｃ１に記載のシステム。
［Ｃ３］
前記少なくとも１つのプレノプティック画像は立体視画像である、Ｃ１に記載のシステム。
［Ｃ４］
前記少なくとも１つのプレノプティック画像は２次元画像である、Ｃ１に記載のシステム。
［Ｃ５］
前記アイトラッキングシステムは前記ユーザの目の動きおよび座標をトラッキングするために前記ユーザによって装着されるメガネを備える、Ｃ１に記載のシステム。
［Ｃ６］
前記アイトラッキングシステムは前記ユーザの目の動きおよび座標をトラッキングするように構成された赤外線システムを備える、Ｃ１に記載のシステム。
［Ｃ７］
前記プレノプティック画像ソースはプレノプティック画像フレームを備えた映像を表示することが可能である、Ｃ１に記載のシステム。
［Ｃ８］
少なくとも１つのプレノプティック画像を作成することと、
前記少なくとも１つのプレノプティック画像内の物体を深度面にマッピングすることと、
前記少なくとも１つのプレノプティック画像を表示することと、
ディスプレイ上のユーザの注視位置をトラッキングすることと、
前記ユーザによって観察されている深度面に前記表示画像のフォーカルプレーンを設定することと、
を備える、ユーザにより観察される画像のフォーカルプレーンを設定する方法。
［Ｃ９］
前記少なくとも１つのプレノプティック画像はプレノプティック画像からなる映像である、Ｃ８に記載の方法。
［Ｃ１０］
前記少なくとも１つのプレノプティック画像は２次元画像である、Ｃ８に記載の方法。
［Ｃ１１］
前記ユーザの注視位置をトラッキングすることは、前記ユーザの目の前記動きおよび座標をトラッキングするために前記ユーザによって装着されるメガネを備える、Ｃ８に記載の方法。
［Ｃ１２］
前記ユーザの注視位置をトラッキングすることは前記ユーザの目の前記動きおよび座標をトラッキングするように構成された赤外線システムを備える、Ｃ８に記載の方法。
［Ｃ１３］
少なくとも１つのプレノプティック画像を作成するための手段と、
前記少なくとも１つのプレノプティック画像内の物体を深度面に対してマッピングするための手段と、
前記少なくとも１つのプレノプティック画像を表示するための手段と、
ディスプレイ上のユーザの注視位置をトラッキングするための手段と、
前記ユーザによって観察されている深度面に前記表示画像の前記フォーカルプレーンを設定するための手段と、
を備える、プレノプティック画像のフォーカルプレーンを設定するシステム。
［Ｃ１４］
少なくとも１つのプレノプティック画像を作成するための前記手段はプレノプティックカメラを備える、Ｃ１３に記載のシステム。
［Ｃ１５］
前記少なくとも１つのプレノプティック画像内の物体を深度面にマッピングするための前記手段は座標マッピングモジュールを備える、Ｃ１３に記載のシステム。
［Ｃ１６］
前記少なくとも１つのプレノプティック画像を表示するための前記手段は表示デバイスを備える、Ｃ１３に記載のシステム。
［Ｃ１７］
前記ディスプレイ上のユーザの注視位置をトラッキングするための前記手段はアイトラッキングメガネを備える、Ｃ１３に記載のシステム。
［Ｃ１８］
前記ディスプレイ上のユーザの注視位置をトラッキングするための前記手段は赤外線アイトラッキングシステムを備える、Ｃ１３に記載のシステム。
［Ｃ１９］
前記ユーザによって観察されている深度面に前記表示画像の前記フォーカルプレーンを設定するための前記手段は深度面フォーカスモジュールを備える、Ｃ１３に記載のシステム。
［Ｃ２０］
プロセッサによって実行されたときに前記プロセッサに対してプレノプティック画像のフォーカルプレーンを設定する方法を実行させる命令を備えた非一時的コンピュータ読み取り可能な媒体、ここにおいて前記方法は、
少なくとも１つのプレノプティック画像を作成することと、
前記少なくとも１つのプレノプティック画像内の物体を深度面にマッピングすることと、
前記少なくとも１つのプレノプティック画像を表示することと、
ディスプレイ上のユーザの注視位置をトラッキングすることと、
前記ユーザによって観察されている深度面に前記表示画像の前記フォーカルプレーンを設定することと、を備える、
非一時的コンピュータ読み取り可能な媒体。